(57)【要約】  【課題】  【解決手段】本発明は、空気中のラドンの時間積分濃度や種々の材料からの放射レートを測定するためのラドン検出器である。前記検出器は、格納式の半円形リング（４）を具えるように設計され、糸やワイヤを使いその他の道具を使わずに前記検出器を専門機関が推奨する高さに設置することができる。前記検出器は３つの要素で構成され、フィルタ部（１）を開かずにＳＳＴＤを交換することができる。【選択図】図１
2007529741.tif 000002
【特許請求の範囲】
【請求項１】
ラドンの時間積分濃度を測定するαトラック検出器において：
「検出部」（３）、「接続部」（２）、および「フィルタホルダ」（１）の３つの部分を具えることを特徴とするαトラック検出器。
【請求項２】
請求項１に記載の検出器において、前記「検出部」（３）が、直径が１ｍｍ乃至４ｍｍの穴（４１）を有する格納式半円形リング（４）を外部に具え、前記検出器の内縁部の接線から５ｍｍ乃至２０ｍｍの位置にあるＳＳＴＤホルダ（３１）を内部に具えることを特徴とする検出器。
【請求項３】
請求項１に記載の検出器において、前記「接続部」（２）が、フィルタホルダ（１）であるフィルタの支持部を具えることを特徴とする検出器。
【発明の詳細な説明】
【技術分野】
【０００１】
本発明は、ラジウムの崩壊によって生ずる気体成分であるラドンの時間積分濃度（Ｔｉｍｅ  ｉｎｔｅｇｒａｌ  ｃｏｎｃｅｎｔｒａｔｉｏｎ）を測定するαトラック検出器の分野に関する。
【背景技術】
【０００２】
ラドン濃度を測定するαトラック検出器には固体飛跡検出器が使用され、ＬＲ‐１１５およびＣＲ‐３９はＳＳＴＤ（固体飛跡検出器を表す）の商標である。測定期間中、ラドンおよびその娘核種から放射されたα粒子により、いくつかのトラックがＳＳＴＤの表面に形成される。α粒子によってＳＳＴＤに形成される深さは、１０マイクロメートル程度である。
【０００３】
ＳＳＴＤ上のα粒子のトラックは光学顕微鏡でも観察することができないため、光学顕微鏡で識別するために、温度４０℃から６０℃で１時間から６時間、１０％から２５％の水酸化ナトリウム水溶液でＳＳＴＤをエッチングしてトラックを拡大しなければならない。このトラックは、エッチング後に顕微鏡や自動読み取りシステムによって観察することができ、単位面積のトラックの平均数（トラック／Ｄ）は、既に分かっている転換因子によりラドンの濃度に変換することができる。
【０００４】
空気中にある種々のラドン検出方法を以下に示す。
【表１】
2007529741.tif 000003
【０００５】
エッチングによるトラックの拡大で重要なのは、ＳＳＴＤの周辺媒体からのα粒子に応じてエッチングレートを変化させることである。
【０００６】
αトラック検出器の設置位置は、床から１．５ｍ〜２．５ｍの高さで、天井や壁から約３０ｃｍ離すことが推奨される。しかし、従来のほとんど総てのαトラック検出器は、紙テープ（４０１）や金属棒（４０２）により吊り下げられ、ラドン検出器を固定するために他の道具（３２１、３２２）を具えなければならない。さらにαトラック検出器は、当該検出器を現場から離れた研究室へ運搬するのに不便である。
【０００７】
２つのＳＳＴＤのエッチングの条件を以下に示す。
【表２】
2007529741.tif 000004
【発明の開示】
【発明が解決しようとする課題】
【０００８】
αトラック検出器の設置位置は床から１．５ｍ〜２．５ｍの高さであることが推奨されるが、実際には床から天井までの高さは様々であるため、長さが約３０ｃｍの紙テープや金属棒を使用した従来の検出器は推奨される条件を満たすことが困難である。
【０００９】
現場でのラドン測定期間が終了した後、αトラック検出器は、検出器内のＳＳＴＤを読み取るべく化学エッチングしなければならないため、研究室に郵送されなければならない。従来では、この段階でフィルタが損傷してしまう。
【００１０】
エッチングされたＳＳＴＤの単位面積あたりのトラック数は、センタエリアではサイドエリアに比べて１０％多いため、データの精度はＳＳＴＤの読み取り範囲が大きいほど低くなるだろう。
【課題を解決するための手段】
【００１１】
これらの不都合を解消するために、本発明は、検出部、フィルタ部、および接続部の３つの部分に設計された。フィルタ部を開くことなく検出部内のＳＳＴＤを出し入れすることができ、検出部の中央に位置するＳＳＴＤホルダセットにより、ＳＳＴＤを従来のものより小さくすることができる。
【００１２】
本発明は、直径が１ｍｍから４ｍｍの穴（４１）が設けられた直径が１０ｍｍから５０ｍｍの格納式半円形リング（４）を有し、糸やワイヤを使いその他の道具を使わずに検出器を専門機関が推奨する高さに容易に設置することができる。
【００１３】
本発明における検出部は、ＳＳＴＤを中央部にしっかり保持するＳＳＴＤホルダのセットを具えており、ＳＳＴＤの側面から検出器の接線までの距離が５ｍｍから２０ｍｍである。
【発明の効果】
【００１４】
本発明により、（１）紙テープ、金属棒、およびその他の道具を使わずに糸やワイヤを用いてαトラック検出器を専門機関が推奨する高さに容易に設置することができ、（２）αトラック検出器の本体が再利用可能であり、また輸送するために梱包する量を減らすことでき、（３）ＳＳＴＤの使用を抑えつつ、測定の精度を向上することができる。
【発明を実施するための最良の形態】
【００１５】
本発明は、ラドンから空気中およびＳＳＴＤに放射されるα粒子の範囲を考慮した結果、直径が４ｃｍ、高さが３ｃｍの円筒形状に設計されている。
【００１６】
検出部（３）に相当する本発明の上部は、外気からフィルタを介して検出器に入るラドンから放射されるα粒子を検出するＳＳＴＤ（５００）を固定するＳＳＴＤホルダ（３１）のセットと、穴（４１）を有する半円形リング（４）を支持しており、糸やワイヤを使って検出器を天井から吊すことができる支持部（３２）のセットとからなる。
【００１７】
フィルタ部に相当する本発明の底部は、ラドン以外の放射性同位体を検出器内に透過させないようにするフィルタと、円形の粘着テープで固定して輸送中にフィルタの損傷を防止するカバー（１）とからなる。
【００１８】
接続部（２）に相当する本発明の中央部は溝（２１）を具え、検出部（３）を本体から親指の爪で容易に取り外すことができる。
【図面の簡単な説明】
【００１９】
【図１】図１は、本発明の正面図であり、左の図では半円形リングが畳まれており、右の図では半円形リングが展開している状態を示す。
【図２】図２は、本発明の立面図および底面図である。
【図３】図３は、ＳＳＴＤを取り付けた本発明の断面図である。
【図４】図４は、ＳＳＴＤを取り付けた従来のαトラック検出器の断面図である。
【図５】図５は、従来のαトラック検出器の２つの設置タイプを示している。
【符号の説明】
【００２０】
１    ：フィルタを支持し、輸送中の損傷を防止するため円形のテープを接着する面を具え、フィルタ媒体を通してラドン娘核種がない気体状態のラドンを検出器に入れることができるフィルタホルダ
１０１：従来のαトラック検出器のフィルタホルダの形状
２    ：検出部とフィルタ部を直接に接触させずに各部を接続する接続部
２１  ：検出部を本体から親指の爪で容易に分離するための溝
２０１：従来のαトラック検出器の本体の形状
３    ：半円形のリングを有する支持部のセットと反対側のＳＳＴＤホルダのセットからなる本発明の上部
３１  ：ＳＳＴＤを検出部内に固定するＳＳＴＤホルダのセット
３２  ：半円形リングを検出部に固定するための支持部のセット
３１１：従来のαトラック検出器のＳＳＴＤホルダの形状
３２１：検出部を紙テープに固定するための従来の粘着部
３２２：検出器を金属棒に固定するための従来のケーブル固定部
４    ：現場で糸やワイヤを使って本発明を設置するための半円形リング
４１  ：糸やワイヤを半円形リングに挿入するための穴
４０１：検出器を天井から吊り下げるための従来の紙テープ製吊り下げ具の形状
４０２：検出器を天井から吊り下げるための従来の金属棒で作製された吊り下げ具の形状
５００：ＳＳＴＤを表す固体飛跡検出器
５０１：従来のαトラック検出器のＳＳＴＤの形状
【図１】
2007529741.tif 000005
【図２】
2007529741.tif 000006
【図３】
2007529741.tif 000007
【図４】
2007529741.tif 000008
【図５】
2007529741.tif 000009
【国際調査報告】
2007529741.tif 000010
2007529741.tif 000011
2007529741.tif 000012